(57)【要約】【課題】映像を紙芝居のように再生し、目に優しく、又、視力が弱いユーザでも映像を容易に把握できるようにした再生装置を提供する。【解決手段】Ｉピクチャｋｆ１が映像出力部７に入力されてくると、映像出力部７は、Ｉピクチャｋｆ１を内蔵する記憶部に記憶する。映像出力部７は、制御部６からｓ３の指示を受けると、後述のｓ８において画面更新表示の指示があるまで、記憶されているＩピクチャｋｆ１をアナログの再生映像信号に変換し、その再生映像信号をテレビジョン２００に出力し続ける。ｓ８の指示を受け、映像出力部７は、映像出力部７内蔵の記憶部からＩピクチャｋｆ１を消去し、新たなＩピクチャ（例えばｋｆ２、ｋｆ３）を記憶させる。そして、今度は、記憶されている新たなＩピクチャ（例えばｋｆ２、ｋｆ３）をアナログの再生映像信号に変換し、その再生映像信号をテレビジョン２００に出力し続ける。【選択図】  図３
2007081666.tif 000002
【特許請求の範囲】
【請求項１】
単体で映像を復元できるキーフレームと、該キーフレームを参照して映像を復元する差分フレームと、からなる映像データを処理し、フレーム毎に映像を表示器に表示する映像出力手段を備える再生装置において、
映像データのみ特殊な再生を行う特殊再生キーを有する操作手段と、
前記操作手段の前記特殊再生キーが押下されると、入力ソースから入力されてきた映像データであるキーフレーム及び差分フレームの内、キーフレームのみをデコードして出力するデコード手段と、を備え、
前記映像出力手段は、前記デコード手段が出力したキーフレームが入力されてくると、該キーフレームに対応する映像を前記表示器に固定表示し、
前記映像出力手段は、前記デコード手段から新たなキーフレームが入力されてくると、現在前記表示器の画面を固定しているキーフレームによって該画面を固定表示してから所定時間経過したか否か判定し、該所定時間経過したと判定した場合にのみ、該新たなキーフレームで前記表示器の画面を更新表示し、
前記操作手段は、前記所定時間を設定する所定時間設定キーを有し、
前記映像出力手段は、前記操作手段の前記所定時間設定キーで前記所定時間が設定されると、該所定時間で前記判定を行い、
前記キーフレームは、ＭＰＥＧ規格のＩピクチャであり、
前記差分フレームは、ＭＰＥＧ規格のＰピクチャ及びＢピクチャである再生装置。
【請求項２】
単体で映像を復元できるキーフレームと、該キーフレームを参照して映像を復元する差分フレームと、からなる映像データを処理し、フレーム毎に映像を表示器に表示する映像出力手段を備える再生装置において、
映像データのみ特殊な再生を行う特殊再生キーを有する操作手段と、
前記操作手段の前記特殊再生キーが押下されると、入力ソースから入力されてきた映像データであるキーフレーム及び差分フレームの内、キーフレームのみをデコードして出力するデコード手段と、を備え、
前記映像出力手段は、前記デコード手段が出力したキーフレームが入力されてくると、該キーフレームに対応する映像を前記表示器に固定表示し、前記デコード手段から新たなキーフレームが入力されてくると、該新たなキーフレームに対応する映像で前記表示器の画面を更新表示する再生装置。
【請求項３】
前記映像出力手段は、前記デコード手段から新たなキーフレームが入力されてくると、現在前記表示器の画面を固定しているキーフレームによって該画面を固定表示してから所定時間経過したか否か判定し、該所定時間経過したと判定した場合にのみ、該新たなキーフレームで前記表示器の画面を更新表示する請求項２に記載の再生装置。
【請求項４】
前記操作手段は、前記所定時間を設定する所定時間設定キーを有し、
前記映像出力手段は、前記操作手段の前記所定時間設定キーで前記所定時間が設定されると、該所定時間で前記判定を行う請求項２又は３に記載の再生装置。
【請求項５】
前記キーフレームは、ＭＰＥＧ規格のＩピクチャであり、
前記差分フレームは、ＭＰＥＧ規格のＰピクチャ及びＢピクチャである請求項２から４のいずれかに記載の再生装置。
【発明の詳細な説明】
【技術分野】
【０００１】
本発明は、ＤＶＤやハードディスク等の記録媒体に録画されているＴＶ番組等の録画データを読み取り、この録画データに基づいて番組を再生したり、インターネットを通じてマルチメディアコンテンツを再生したりする再生装置に関する。
【背景技術】
【０００２】
従来、ＤＶＤやＨＤ（ハードディスク）等の記録媒体に録画されているＴＶ番組等の録画データを再生したり、インターネットを通じてマルチメディアコンテンツを再生したりする再生装置が実用化され、広く一般に普及している。再生装置は、例えば光ディスク装置、ＨＤレコーダ、パソコンである。
【０００３】
上記録画データや上記マルチメディアコンテンツには、当然ながら映像データが含まれており、その映像データのフォーマットは、例えばＭＰＥＧ（Moving  Picture  Experts  Group）２である。ＭＰＥＧ２のビットストリームには、動画部分がまとめられており、この動画部分をＧＯＰ（グループ・オブ・ピクチャーズ）と呼ぶ。このＧＯＰ内の画像は、単体で映像を復元できるＩ(Intra)ピクチャと、該Ｉピクチャを参照して映像を復元するＰ(Predictive)ピクチャ及びＢ(Bidirectionally  predictive)ピクチャと、に分かれる。ここで、「Ｉピクチャを参照して映像を復元する」とは、正確に言うと「Ｉピクチャを参照して変換符号化・予測符号化の復号（デコード）を行う」ことである。
【０００４】
Ｉピクチャは、ＧＯＰの中心となるデータであり、一般にキーフレームと呼ばれる。また、Ｐピクチャ及びＢピクチャは、Ｉピクチャを参照しなければデコードできないフレームであり、差分フレームと呼ぶ。Ｐピクチャは、前のＩピクチャで変化のある部分のみで構成されるデータ、つまり順方向に差分を取って符号化した差分データである。また、Ｂピクチャは、前後のフレーム（例えばＩピクチャやＰピクチャ）から双方向に差分を取って符号化した差分データである。
【０００５】
従来の再生装置は、これらキーフレームと差分フレームからなる映像データを処理し、フレーム毎に映像を表示器に表示していた。表示器は、例えばモニター、液晶ディスプレイである。
【０００６】
一方、特許文献１に記載されたような記録再生装置が提案されている。
【０００７】
この記録再生装置は、ビデオストリームのシーンの変化を検出する検出手段と、検出手段がその変化を検出してから最初に発生するＩピクチャの位置を、キーフレームの位置としてビデオストリームにマークするマーク手段と、マーク手段によりマークされたビデオストリームを記録媒体に記録する記録手段と、を備える。
【０００８】
そして、４倍速などの高速再生を行う場合において、この記録再生装置は、記録媒体からビデオストリームをリードする際、マークされていないフレームをジャンプしながらリードする。
【特許文献１】特開２００１−１６９２１３公報
【発明の開示】
【発明が解決しようとする課題】
【０００９】
しかしながら、フレーム毎に映像を表示器に表示しているので、従来の再生装置は画面の切替わりが激しい。
【００１０】
そのため、視力が弱いユーザは、該画面の切替わりについて行けず、映像を正確に把握することが困難だった。従って、従来の再生装置おいては、視力が弱いユーザが映像を正確に把握し難いという問題があった。
【００１１】
また、画面の切替わりが激しいということは、画面のちらつきが激しいということである。このことは、視力が弱いユーザであろうと無かろうと、目には有害であり、この点も問題であった。
【００１２】
また、特許文献１でも、マークされていないフレームをジャンプしながらリードしているが、４倍速などの高速再生が行われるので、結局画面の切替わりが激しいことに変わりない。従って、上記従来の再生装置と同様の問題が生ずる。
【００１３】
本発明はこのような従来の課題を解決しようとするものであり、映像を紙芝居のように再生し、目に優しく、又、視力が弱いユーザでも映像を容易に把握できるようにした再生装置を提供することを目的とする。
【課題を解決するための手段】
【００１４】
本発明の再生装置は、前記課題を解決するために以下の構成を備えている。
（１）単体で映像を復元できるキーフレームと、該キーフレームを参照して映像を復元する差分フレームと、からなる映像データを処理し、フレーム毎に映像を表示器に表示する映像出力手段を備える再生装置において、
映像データのみ特殊な再生を行う特殊再生キーを有する操作手段と、
前記操作手段の前記特殊再生キーが押下されると、入力ソースから入力されてきた映像データであるキーフレーム及び差分フレームの内、キーフレームのみをデコードして出力するデコード手段と、を備え、
前記映像出力手段は、前記デコード手段が出力したキーフレームが入力されてくると、該キーフレームに対応する映像を前記表示器に固定表示し、前記デコード手段から新たなキーフレームが入力されてくると、該新たなキーフレームに対応する映像で前記表示器の画面を更新表示する。
【００１５】
この構成において、再生装置は、例えば光ディスク装置、ＨＤレコーダ、パソコンである。また、キーフレームは、全シナリオを推定し得る代表画面である。表示器は、例えばモニター、液晶ディスプレイである。入力ソースは、例えば光ディスク、ＨＤ、インターネット、又はＴＶアンテナである。
【００１６】
また、キーフレーム及び差分フレームの内、キーフレームのみを選択的にデコードさせているが、該差分フレームは、消去させると良い。つまり、デコード手段は、選択出力手段であるとも言うことができ、キーフレームのみを選択的に出力している。
【００１７】
ユーザが操作手段の特殊再生キーを押下すると、デコード手段によってキーフレームのみがデコードされる。ここで、キーフレームで表示器の画面を固定表示させ、新たなキーフレームで更新表示する方法には、いくつかある。
【００１８】
例えば、キーフレームが映像出力手段に入力されてくると、映像出力手段が該キーフレームを一旦記憶しておき、該キーフレームを処理し続けて同じ映像を表示器に表示し続ける。そして、新たなキーフレームが映像出力手段に入力されてくると、映像出力手段が記憶しているキーフレームを消去して該新たなキーフレームを記憶し、該新たなキーフレームを処理し続けて同じ映像を表示器に表示し続ける方法がある。
【００１９】
以上より、映像を紙芝居のように再生し、目に優しく、又、視力が弱いユーザでも映像を容易に把握できるという効果を奏する。
（２）前記映像出力手段は、前記デコード手段から新たなキーフレームが入力されてくると、現在前記表示器の画面を固定しているキーフレームによって該画面を固定表示してから所定時間経過したか否か判定し、該所定時間経過したと判定した場合にのみ、該新たなキーフレームで前記表示器の画面を更新表示する。
【００２０】
この構成おいて、所定時間は、例えば１秒、３秒、又は５秒である。
（３）前記操作手段は、前記所定時間を設定する所定時間設定キーを有し、
前記映像出力手段は、前記操作手段の前記所定時間設定キーで前記所定時間が設定されると、該所定時間で前記判定を行う。
【００２１】
この構成では、ユーザが操作手段によって上記所定時間の設定や変更を行い得る。
【００２２】
以上より、表示器の画面が切替わるタイミングを調節できるという効果を奏する。
（４）前記キーフレームは、ＭＰＥＧ規格のＩピクチャであり、
前記差分フレームは、ＭＰＥＧ規格のＰピクチャ及びＢピクチャである。
【００２３】
この構成において、ＭＰＥＧ規格とは、例えばＭＰＥＧ２である。
【発明の効果】
【００２４】
この発明によれば、映像を紙芝居のように再生し、目に優しく、又、視力が弱いユーザでも映像を容易に把握できるという効果を奏する。
【発明を実施するための最良の形態】
【００２５】
以下、本発明の実施形態である光ディスク装置について説明する。
【００２６】
図１は、本発明の実施形態である光ディスク装置の主要な構成を示すブロック図である。
【００２７】
光ディスク装置１は、所謂ＤＶＤプレーヤであり、装置本体１の各部を制御する制御部６と、光ディスク１００上に記録されているデータの読取を行うピックアップヘッド２（以下、ＰＵヘッド２という。）と、ＲＦアンプなどの再生回路３と、データを一時的に格納するトラックバッファＲＡＭ１３と、トラックバッファＲＡＭ１３に記憶されているデータをデコードするデコーダ４と、デコードしたＡＶ（Ａudio  Ｖisual）データを数画面分格納するデコードＲＡＭ１４と、オーディオ（音声）データをD／A変換する音声出力部５と、ビデオ（映像）データをD／A変換する映像出力部７と、情報を表示する表示部９と、再生または録画キーが設けられている操作部１０と、を備えている。
【００２８】
ＰＵヘッド２は、図示しないレーザダイオード（ＬＤ）、コリメータレンズ、ビームスプリッタ、対物レンズ、フォトディテクタ、スレッドモータ、２軸のアクチュエータを備えている。
【００２９】
ＰＵヘッド２は、光ディスク１００の半径方向に延びる軸に移動自在に取り付けられている。スレッドモータが、ＰＵヘッド２を光ディスク１００の半径方向に移動する。
【００３０】
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
【００３１】
対物レンズは、光ディスク１００に対するレーザ光の照射位置を調節する。また、２軸のアクチュエータは、対物レンズを光ディスク１００に接離する方向、および光ディスク１００の半径方向に移動させる。
【００３２】
制御部６は、例えばマイクロコンピュータで構成されており、後述の図３ｓ４においてタイマーを計測するタイマー計測部（不図示）を内蔵する。
【００３３】
次に、上記構成の再生時における動作を以下説明する。
【００３４】
ＰＵヘッド２は、光ディスク１００に対して読取パワーのレーザ光を照射し、光ディスク１００からの反射光をフォトディテクタで検出する。これにより、光ディスク１００に記録されているデータを光学的に読み出す。
【００３５】
再生回路３は、ＰＵヘッド２の複数の受光素子の出力に基づいてＲＦ信号を生成して増幅し、該ＲＦ信号を処理して映像と音声のデータ、つまりＡＶ（Ａudio  Ｖisual）データを取り出す。ここで、取り出されるＡＶデータは、例えばＭＰＥＧでエンコードされている。そして、そのＡＶデータは、トラックバッファＲＡＭ１３に一旦格納され、制御部６からの読み出し要求を待つ。
【００３６】
トラックバッファＲＡＭ１３に格納されているＡＶデータは、制御部６からの読み出し要求に従って順次読み出され、デコーダ４に転送（出力）される。
【００３７】
デコーダ４は、トラックバッファＲＡＭ１３に記憶（格納）されているＡＶデータをビデオデータとオーディオデータに分離し、それぞれをデコードする。デコードされたＡＶデータは、デコードＲＡＭ１４に一旦格納された後、再び読み出され、ビデオデータ（ビデオストリーム）は映像出力部７に、オーディオデータは音声出力部５に、同期を取りつつそれぞれ順次転送される。
【００３８】
音声出力部５は、デコーダ４によって伸長されたオーディオデータをアナログの再生音声信号に変換し、その再生音声信号をテレビジョン２００に出力する。
【００３９】
また、映像出力部７は、デコーダ４によって伸長されたビデオデータ（ビデオストリーム）をアナログの再生映像信号に変換し、その再生映像信号をテレビジョン２００に出力する。
【００４０】
なお、テレビジョン２００がデジタル信号対応タイプであれば、音声出力部５及び映像出力部７にＤ／Ａ変換させなくとも構わない。
【００４１】
以上のようにして再生が行われる。
【００４２】
表示部９は、例えば液晶パネルで構成されており、時刻、光ディスク装置１の設定状態などを表示する。
【００４３】
また、操作部１０は、装置本体１に対する入力操作を行う複数の操作キー（不図示）や、図示していないリモコンから送信されてきた装置本体１に対する制御コードを受信するリモコン受信部（不図示）を有している。操作部１０は、ユーザにより操作された操作キーに応じた制御コードや、リモコン受信部で受信した制御コードを制御部６に伝送する。
【００４４】
上記複数の操作キーの中には、映像を紙芝居のように再生するユーザ補助再生キー（不図示）と、所定時間を設定する所定時間設定キー（不図示）と、がある。ユーザ補助再生キーは、ユーザの目に優しい再生を行うこと、及び視力が弱いユーザにゆっくりとした再生を行うことを目的とした、映像データのみ紙芝居のような再生を行う特殊再生キーである。
【００４５】
ここで、制御部６及び映像出力部７が、本発明の「映像出力手段」に相当する。また、制御部６及びデコーダ４が、本発明の「デコード手段」に相当する。また、光ディスク１００、ＰＵヘッド２及び再生回路３が、本発明の「入力ソース」に相当する。
【００４６】
なお、実際の光ディスク装置では、読取時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００４７】
図２は、ＭＰＥＧ２規格におけるビデオストリームの構造を示す図である。
【００４８】
ＭＰＥＧ２のビデオストリーム（ビットストリーム）には、動画部分がまとめられており、この動画部分をＧＯＰ（グループ・オブ・ピクチャーズ）と呼ぶ（図２（a）参照）。図２（b）は、左端のＧＯＰ７０内の構造を示す図である。図２（b）中、Ｉは、Ｉ(Intra)ピクチャ、Ｐは、Ｐ(Predictive)ピクチャ、Ｂは、Ｂ(Bidirectionally  predictive)ピクチャを表している。図２（b）中には、左端から、単体で映像を復元できるＩピクチャｋｆ（キーフレーム）１、そしてＩピクチャｋｆ１を参照して映像を復元する差分（Patch）フレームｐｆ１１〜１６が続き、さらにＩピクチャｋｆ２、そしてＩピクチャｋｆ２を参照して映像を復元する差分フレームｐｆ２１〜２５が続き、Ｉピクチャｋｆ３、そしてそれ以降、と続いている様子が示されている。
【００４９】
ここで、「Ｉピクチャを参照して映像を復元する」とは、正確に言うと「Ｉピクチャを参照して変換符号化・予測符号化の復号（デコード）を行う」ことである。
【００５０】
Ｉピクチャは、ＧＯＰの中心となるデータであり、一般にキーフレームと呼ばれる。また、Ｐピクチャ及びＢピクチャは、Ｉピクチャを参照しなければデコードできないフレームであり、差分フレームと呼ぶ。Ｐピクチャは、前のＩピクチャで変化のある部分のみで構成されるデータ、つまり順方向に差分を取って符号化した差分データである。また、Ｂピクチャは、前後のフレーム（例えばＩピクチャやＰピクチャ）から双方向に差分を取って符号化した差分データである。
【００５１】
従って、デコーダ４は、トラックバッファＲＡＭ１３に記憶（格納）されているＡＶデータをデコードする際、ＡＶデータのビデオデータ（のフォーマット）がＭＰＥＧ２であれば、上記特性を考慮したデコードを行う。詳述すると、Ｉピクチャをデコードする場合は、何も参照せずそのままデコードし、Ｐピクチャ及びＢピクチャをデコードする場合は、Ｉピクチャを参照して変換符号化・予測符号化のデコードを行う。
【００５２】
図３は、本発明の実施形態である光ディスク装置においてユーザ補助再生キー押下時に制御部が行う動作を示すフローチャートである。
【００５３】
ユーザ補助再生キーが押下されると、制御部６は、押下されたことがトリガとなり、再生終了又は他の操作が行われない限り、以下の動作を行い続ける。他の操作とは、ユーザ補助再生キーの押下以外の操作であり、例えば巻戻しキーの押下、早送りキーの押下、又は再生キーの押下である。
【００５４】
まず、制御部６は、再生を実行する（ｓ１）。詳述すると、制御部６は、再生を実行するためのプログラムを実行し、該プログラムに従って装置本体１各部を制御する。この際、制御部６は、ビデオデータのフォーマットをデコーダ４に指示する。
【００５５】
この実施形態では、光ディスク１００に記録されているビデオデータのフォーマットがＭＰＥＧ２であったとして以下述べる。この場合、キーフレームは、Ｉピクチャということになる。又、差分フレームは、Ｐピクチャ及びＢピクチャということになる。
【００５６】
なお、既に再生が行われている時にユーザ補助再生キーが押下された場合には、ｓ１の処理をスキップし、ｓ２から動作を行う。
【００５７】
次に、制御部６は、Ｉピクチャ（キーフレーム）のみデコードするようデコーダ４に指示する（ｓ２）。Ｐピクチャ及びＢピクチャをデコードする場合、Ｉピクチャを参照する必要がある。これを利用し、制御部６は、参照を必要としないフレームであるＩピクチャのみデコーダ４にデコードさせる。Ｐピクチャ及びＢピクチャは、デコードせず、消去させる。例えば、図２（ｂ）に示すようなビデオストリームの場合、Ｉピクチャｋｆ（キーフレーム）１〜３のみをデコードし、Ｐピクチャ及びＢピクチャは、デコードせず、消去させる。
【００５８】
次に、制御部６は、Ｉピクチャ（キーフレーム）に対応する映像をテレビジョン２００に固定表示するための指示を行う（ｓ３）。画面を固定表示する方法はいくつかあるが、以下にその例を具体的に紹介する。
【００５９】
まず、Ｉピクチャを記憶するための記憶部（例えばＥＥＰＲＯＭ）（不図示）を映像出力部７に内蔵させる。そして、ｓ３において制御部６は、映像出力部７がＩピクチャをアナログの再生映像信号に変換し、その再生映像信号をテレビジョン２００に出力する際、後述のｓ８において画面更新表示の指示があるまで、その再生映像信号をテレビジョン２００に出力し続けることを映像出力部７に指示する。
【００６０】
例えば、図２に示すようなビデオストリームの場合、Ｉピクチャｋｆ１が映像出力部７に入力されてくると、映像出力部７は、Ｉピクチャｋｆ１を内蔵する記憶部に記憶する。映像出力部７は、制御部６からｓ３の指示を受けると、後述のｓ８において画面更新表示の指示があるまで、記憶されているＩピクチャｋｆ１をアナログの再生映像信号に変換し、その再生映像信号をテレビジョン２００に出力し続ける。差分フレームｐｆ１１〜１６の間も、Ｉピクチャｋｆ１の再生映像信号をテレビジョン２００に出力し続ける。
【００６１】
以上により、テレビジョン２００の画面は、Ｉピクチャｋｆ１の映像で固定される。
【００６２】
ｓ３の処理を行うと即、制御部６は、内蔵するタイマー計測部のタイマーをスタートする（ｓ４）。このタイマーは後述のｓ６の判定において判定材料に用いる。
【００６３】
制御部６は、新たなＩピクチャ（キーフレーム）が検出されるか否か判定する（ｓ５）。この判定は、デコーダ４の映像信号側出力端子又は映像出力部７の映像信号側入力端子において行い、新たなＩピクチャがデコーダ４から出力されたか、又は映像出力部７に入力されたか否かにより判定する。又、Ｉピクチャのビット列に変更があったか否かによっても判定できる。新たなＩピクチャが検出されていないと判定すると、制御部６は、ｓ５に戻り処理を継続する。
【００６４】
新たなＩピクチャ（キーフレーム）が検出されたと判定すると、つまり、デコーダ４から新たなＩピクチャ（キーフレーム）が映像出力部７に入力されてくると、制御部６は、現在テレビジョン２００の画面を固定表示しているＩピクチャ（キーフレーム）によって画面を固定表示してから５秒経過したか否か判定する（ｓ６）。この５秒は、本発明の「所定時間」に相当し、上述の所定時間設定キーにより変更（設定）可能である。
【００６５】
例えば、現在テレビジョン２００の画面を固定表示しているＩピクチャが、Ｉピクチャｋｆ１であり、映像出力部７に入力された新たなＩピクチャがＩピクチャｋｆ２である場合、ｓ６において制御部６は、Ｉピクチャｋｆ１によって画面を固定表示してからＩピクチャｋｆ２が映像出力部７に入力されるまでに、５秒経過したか否か判定する。
【００６６】
ｓ６において、５秒経過していないと判定すると、制御部６は、検出したＩピクチャ（キーフレーム）を映像出力部７に消去（又は無視）させ（ｓ７）、ｓ５に戻り処理を継続する。例えば、映像出力部７に入力された新たなＩピクチャｋｆ２を無視する。
【００６７】
ｓ６において、５秒経過していると判定すると、制御部６は、検出したＩピクチャ（キーフレーム）に対応する映像でテレビジョン２００の画面を更新表示し（ｓ８）、ｓ４に戻り処理を継続する。例えば、ｓ８において画面更新表示の指示があれば、映像出力部７は、映像出力部７内蔵の記憶部からＩピクチャｋｆ１を消去し、新たなＩピクチャ（例えばｋｆ２、ｋｆ３）を記憶させる。そして、今度は、記憶されている新たなＩピクチャ（例えばｋｆ２、ｋｆ３）をアナログの再生映像信号に変換し、その再生映像信号をテレビジョン２００に出力し続ける。もちろん、差分フレームｐｆ２１〜２５の間も、新たなＩピクチャ（例えばｋｆ２、ｋｆ３）の再生映像信号をテレビジョン２００に出力し続ける。これにより、テレビジョン２００の画面は、Ｉピクチャｋｆ１の代わりに、新たなＩピクチャ（例えばｋｆ２、ｋｆ３）の映像で固定される。
【００６８】
以上より、映像を紙芝居のように再生し、目に優しく、又、視力が弱いユーザでも映像を容易に把握できるという効果を奏する。
【００６９】
また、上述の所定時間設定キーにより、テレビジョン２００の画面が切替わるタイミングを調節できるという効果を奏する。
【００７０】
なお、この実施形態では光ディスク装置について説明しているが、これに限定されるものでなく、例えばＨＤレコーダやパソコンでも実施できる。ＨＤレコーダについては、入力ソースが光ディスクかＨＤかの違いでしかなく、キーフレームを有する映像データを処理して映像を表示器に表示する点光ディスク装置と同様である。また、パソコンについても、インターネット（入力ソース）からマルチメディアコンテンツをダウンロードし、例えばストリーミング再生という形式で、キーフレームを有する映像データを処理して映像を表示器に表示する点光ディスク装置と同様である。
【図面の簡単な説明】
【００７１】
【図１】本発明の実施形態である光ディスク装置の主要な構成を示すブロック図
【図２】ＭＰＥＧ２規格におけるビデオストリームの構造を示す図
【図３】本発明の実施形態である光ディスク装置においてユーザ補助再生キー押下時に制御部が行う動作を示すフローチャート
【符号の説明】
【００７２】
１−光ディスク装置
２−ＰＵヘッド２
３−再生回路
４−デコーダ
５−音声出力部
６−制御部
７−映像出力部
９−表示部
１０−操作部
１３−トラックバッファＲＡＭ
１４−デコードＲＡＭ
７０−ＧＯＰ
１００−光ディスク
ｋｆ１〜３−Ｉピクチャ（キーフレーム）
ｐｆ１１〜１６−Ｐピクチャ又はＢピクチャ（差分フレーム）
ｐｆ２１〜２５−Ｐピクチャ又はＢピクチャ（差分フレーム）
【図１】
2007081666.tif 000003
【図２】
2007081666.tif 000004
【図３】
2007081666.tif 000005